(57)【要約】【課題】保温容器を空焚き保温すると加熱を停止させて保温容器の底に残ったコーヒー液の焦げ付きを防止することができること。【解決手段】温度検知手段３の検知温度に基づいて加熱手段２を所定の温調温度で保温する加熱制御手段４によって、保温容器１の空焚き保温時の検知温度の上昇時に加熱手段２による加熱を停止させるようにしたことにより、加熱手段２の温度上昇を抑制して保温容器１の焦げ付きを防止することができる。【選択図】図１
2006217997.tif 000002
【特許請求の範囲】
【請求項１】
コーヒー液を収容する保温容器と、前記保温容器を加熱する加熱手段と、前記加熱手段に取り付けた温度検知手段と、前記温度検知手段の検知温度に基づいて前記加熱手段を所定の温調温度で保温する加熱制御手段とを備え、前記加熱制御手段は前記保温容器の空焚き保温の状態の前記温度検知手段による検知温度が第一の所定値を超えると前記加熱手段による加熱を停止するようにしたコーヒー沸かし器。
【請求項２】
コーヒー液を収容する保温容器と、前記保温容器を加熱する加熱手段と、前記加熱手段に取り付けた温度検知手段と、前記温度検知手段の検知温度に基づいて前記加熱手段を所定の温調温度で保温する加熱制御手段とを備え、前記加熱制御手段は前記保温容器の空焚き保温の状態の前記温度検知手段による検知温度が第一の所定値を超えると前記加熱手段による温調温度を低下させるようにしたコーヒー沸かし器。
【請求項３】
第一の所定値は、予め記憶手段に記憶された保温容器の空焚き保温時の温度検知手段による検知温度とした請求項１または２に記載のコーヒー沸かし器。
【請求項４】
記憶手段に記憶された第一の所定値を使用者が任意に変更するための記憶設定手段を備えた請求項１〜３のいずれか１項に記載のコーヒー沸かし器。
【請求項５】
加熱制御手段は、加熱手段に供給される電源電圧に応じて所定の温調温度を変更するようにした請求項１〜４のいずれか１項に記載のコーヒー沸かし器。
【請求項６】
加熱制御手段は、加熱手段による加熱を停止したことを表示手段により表示するようにした請求項１に記載のコーヒー沸かし器。
【請求項７】
加熱制御手段は、温度検知手段による検知温度が第二の所定値以下になると表示手段による表示を停止するようにした請求項６に記載のコーヒー沸かし器。
【発明の詳細な説明】
【技術分野】
【０００１】
本発明は、コーヒー沸かし器の保温構成に関するものである。
【背景技術】
【０００２】
従来、この種のコーヒー沸かし器は図８のような構成をしており、コーヒー液を収容する保温容器１０１を保温するための加熱手段１０２は、水容器１０８から水管１０９を通して送られてくる水を加熱して抽出部１１０に送る抽出用と共用されており、加熱手段１０２に取り付けられた温度検知手段１０３の検知温度により温調することで、保温容器１０１内のコーヒー液を適温に保温している。一般的な温調方法は図９に示す如く、温度検知手段１０３による検知温度が温調上限温度を超えると加熱手段１０２をオフし、その後検知温度が温調下限温度を下回ると加熱手段１０２をオンするようにしている（例えば、特許文献１参照）。
【特許文献１】特開２００２−２０４７５０号公報
【発明の開示】
【発明が解決しようとする課題】
【０００３】
このような従来のコーヒー沸かし器は、温度検知手段１０３を加熱手段１０２内を通る水管１０９に取り付けてあり、水管１０９内の水の温度を主に検知するようにしているため保温容器１０１の温度は直接検知しておらず、その保温の温調精度は高くない。そして、保温容器１０１にコーヒー液がある程度収容されている状態での熱負荷時にコーヒー液が美味しいと言われる飲み頃の適温範囲である約８２℃〜約８５℃に維持されるように温調温度が固定されている。また、保温容器１０１は専用の物を使用する構成であり、収容するコーヒー液の量も１カップから定格最大カップまでと決まっているため、加熱保温の温度調節も付けられていないのが一般的である。また、保温容器１０１のコーヒー液を全部カップに注いだ後は空の保温容器１０１を加熱手段１０２の上に戻すのが通常であり、そのとき保温を停止するのを忘れてしまう場合もよくある。しかしながら、保温容器１０１を空焚き保温させると、コーヒー液がある場合と比べて加熱手段１０２の熱を奪うものが無くなるため、加熱手段１０２の温度が通常より高温となり保温容器１０１の底に残ったコーヒー液が焦げ付いてしまい、洗ってもなかなか落ちないという課題を有していた。
【０００４】
本発明は上記従来の課題を解決するもので、保温容器１０１の空焚き保温を行うと加熱を停止させて保温容器１０１の焦げ付きを防止することができるコーヒー沸かし器を提供することを目的とする。
【課題を解決するための手段】
【０００５】
前記従来の課題を解決するために、本発明のコーヒー沸かし器は、温度検知手段の検知温度に基づいて加熱手段を所定の温調温度で保温する加熱制御手段によって、保温容器の空焚き保温時の検知温度が第一の所定値を超えると加熱手段による加熱を停止させるようにしたものである。
【０００６】
これによって、保温容器を空焚き保温させても加熱制御手段により加熱手段を停止させるため保温容器の底に残ったコーヒー液の焦げ付きを防止することができる。
【０００７】
また、加熱制御手段によって、保温容器の空焚き保温時の検知温度が第一の所定値を超えると加熱手段による温調温度を低下させるようにしたものである。
【０００８】
これによって、保温容器の空焚き保温時の加熱手段の温度上昇を抑えることができるため、保温容器の底に残ったコーヒー液が焦げ付くのを防止することができるものであり、更にコーヒー液を再加熱保温する場合には、温調温度を素早く元に戻すことができるためコーヒー液が適温保温に戻る時間が短縮できる。
【発明の効果】
【０００９】
本発明のコーヒー沸かし器は、保温容器を空焚き保温させても加熱手段の温度上昇が抑えられるため保温容器の底に残ったコーヒー液が焦げ付くのを防止することができる。
【発明を実施するための最良の形態】
【００１０】
第１の発明は、コーヒー液を収容する保温容器と、前記保温容器を加熱する加熱手段と、前記加熱手段に取り付けた温度検知手段と、前記温度検知手段の検知温度に基づいて前記加熱手段を所定の温調温度で保温する加熱制御手段とを備え、前記加熱制御手段は前記保温容器の空焚き保温の状態の前記温度検知手段による検知温度が第一の所定値を超えると前記加熱手段による加熱を停止するようにしたことにより、保温容器の空焚き保温時の加熱手段の温度上昇を抑えることができるため、保温容器の底に残ったコーヒー液が焦げ付くのを防止することができる。
【００１１】
第２の発明は、コーヒー液を収容する保温容器と、前記保温容器を加熱する加熱手段と、前記加熱手段に取り付けた温度検知手段と、前記温度検知手段の検知温度に基づいて前記加熱手段を所定の温調温度で保温する加熱制御手段とを備え、前記加熱制御手段は前記保温容器の空焚き保温の状態の前記温度検知手段による検知温度が第一の所定値を超えると前記加熱手段による温調温度を低下させるようにしたことにより、保温容器の空焚き保温時の加熱手段の温度上昇を抑えることができるため、保温容器の底に残ったコーヒー液が焦げ付くのを防止することができるものであり、更にコーヒー液を再加熱保温する場合には、温調温度を素早く元に戻すことができるためコーヒー液が適温保温に戻る時間を短縮できる。
【００１２】
第３の発明は、特に、第１または第２の発明において第一の所定値を、予め記憶手段に記憶された保温容器の空焚き保温時の温度検知手段による検知温度としたことにより、実際に保温容器を空焚き保温した時の検知温度を第一の所定値とすることができるため、各機体によって違う保温容器と加熱手段間の熱伝達のばらつきを解消できる精度の高い空焚き保温防止制御が行える。
【００１３】
第４の発明は、特に、第１〜第３のいずれか１つの発明において記憶手段に記憶された第一の所定値を使用者が任意に変更するための記憶設定手段を備えたことにより、経年変化による加熱手段の変形によって起こる保温容器と加熱手段の熱伝達の変化に合わせた第一の所定値に変更できるため更に精度の高い空焚き保温防止制御が行える。
【００１４】
第５の発明は、特に、第１〜第４のいずれか１つの発明の加熱制御手段を、加熱手段に供給される電源電圧に応じて所定の温調温度を変更するようにしたことにより、電源電圧の増加によって加熱電力が増加しても加熱手段の温度上昇をほぼ一定に抑えることができるため、精度よく安定した空焚き保温防止制御を行うことができる。
【００１５】
第６の発明は、特に、第１の発明の加熱制御手段を、加熱手段による加熱を停止したことを表示手段により表示するようにしたことにより、保温容器が空焚きされたことを使用者に容易に知らせることができるため、保温容器の早めの洗浄など適切な処置を使用者に促すことができるなど使い勝手が良くなる。
【００１６】
第７の発明は、特に、第６の発明の加熱制御手段を、温度検知手段による検知温度が第二の所定値以下になると表示手段による表示を停止するようにしたことにより、加熱手段の温度が十分低下し保温容器のコーヒー液の焦げ付きの心配が無くなった時点で不必要な表示手段による表示を自動的に停止させることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態におけるコーヒー沸かし器の構成図を示すものである。
【００１９】
図１において、水容器８にカップ数分の水を入れ、抽出部１０にはペーパーフィルターを装着してコーヒー粉を分量通り入れる。水管９は一端を水容器８の底に接続し、他端を抽出部１０の上方に位置するように配置しており、加熱手段２は水管９の一部にヒータ２ａを取り付けたブロック構成にしている。温度検知手段３は加熱手段２内を通る水管９に取り付けたサーミスタ素子である。ガラス容器である保温容器１は抽出部１０から抽出されたコーヒー液を収容するもので、加熱手段２の上に置いてコーヒー液を保温する。
【００２０】
以上のように構成されたコーヒー沸かし器について、以下その動作、作用を説明する。
【００２１】
まず、水容器８の水は、その底部に設置された逆止弁１１を介して水管９に導入される。加熱手段２にて加熱された湯水は沸騰による蒸気圧により逆止弁１１を押し上げ、水容器８からの流入を止める一方、水管９内の湯を上方に押し上げて、抽出部１０に排出する。以後、水容器８の水が全て抽出部１０に排出されるまでこの動作を繰り返す。水容器８の水が全て加熱され抽出部１０に排出されると加熱手段２の温度は急激に上昇する。図２に示すように、加熱制御手段４は温度検知手段３の検知温度が温調上限温度である１２５℃以上になると加熱手段２への通電をオフする。その後、加熱制御手段４は温度検知手段３の検知温度が温調下限温度である１０５℃未満になると加熱手段２に通電し、再び温調上限温度以上になれば通電をオフすることを繰り返し保温容器１内のコーヒー液の保温を行う。加熱手段２のヒータ出力は定格電圧１００Ｖで７５０Ｗであり、定格電圧時に１カップ約１４０ｍｌのコーヒー液を保温すると図３に示すようにオーバーシュートによる検知温度の最大値は約１４０℃となる。この時の加熱手段２の実際の温度は約１５８℃まで上昇することとなる。この状態から、コーヒー液を全部排出して保温容器１を空の状態で保温を継続すると図４に示すように検知温度の最大値は１４８℃まで上昇する。これは、保温されるコーヒー液が無いため加熱手段２の熱負荷が軽くなるためである。この時の加熱手段２の温度は約１６６℃まで上昇することとなる。このように加熱手段２の温度が通常より高温になる状態で空焚き保温を頻繁に行うような使用を繰り返すと保温容器１の底に残ったコーヒー液が焦げ付いてしまい研磨剤入りの洗剤を使わないと洗い落とすのが困難になる。
【００２２】
本実施の形態では、図５に示すように、保温中に保温容器１の空焚きをした場合、ノイズ対策のために温度検知手段３の検知温度の最大値が連続して２回（複数回）以上第一の所定値の１４５℃以上になった場合に以後加熱を停止するようにしている。
【００２３】
以上のように、本実施の形態においては保温容器１の空焚きや保温容器１を取り外した状態で保温させた時の加熱手段２の温度上昇を温度検知手段３の検知温度により検知して、検知温度の最大値が第一の所定値以上になった場合以後加熱停止するようにしているため、構成部品を追加することなく簡単な制御により保温容器の焦げ付きを防止することができる。
【００２４】
また、本実施の形態では、不揮発性メモリからなる記憶手段５を設置しており、予めコーヒー沸かし器の生産工程において出荷される加熱手段２と保温容器１の組み合わせで空焚き保温を行い、その時の温度検知手段３による検知温度のピーク温度に基づいた値を第一の所定値として記憶させるようにしている。例えば、検知温度のピーク値が１４６．５℃であった場合は２℃のマージンを見込んで１４４．５℃を第一の所定値とする。これにより、実際に使用者の元に出荷される加熱手段２と保温容器１の組み合わせにおける空焚き保温時の検知温度を第一の所定値とすることができるため、各機体によって違う保温容器と加熱手段間の熱伝達のばらつきを解消できる精度の高い空焚き保温防止制御が行える。
【００２５】
また、本実施の形態では、使用者が操作できるスイッチである記憶設定手段６を設けているため、使用者が任意に、または、保温容器１の空焚き保温時に加熱停止が遅れるなどの変化が現れた時に使用者が第一の所定値を変更できるようにしている。まず、コーヒー液の保温中に保温容器１を空にして加熱手段２の上に設置し記憶設定手段６のスイッチを押すと、加熱制御手段４は１０分間保温を継続し、その間の温度検知手段３による検知温度のピーク温度を測定する。そして、その測定値から２℃減じた値を新たな第一の所定値として記憶するようにしている。これにより、経年変化による加熱手段２の変形によって起こる保温容器１と加熱手段２の熱伝達の変化に合わせた第一の所定値に変更できるため更に精度の高い空焚き保温防止制御が行える。
【００２６】
また、本実施の形態では、加熱停止により保温を停止したことを発光ダイオードからなる表示手段７にて表示するようにしているため、保温容器１が空焚きされたことを使用者に容易に知らせることができるため、保温容器１の早めの洗浄など適切な処置を使用者に促すことができるなど使い勝手が良くなる。また、加熱制御手段４は保温を停止した後温度検知手段３の検知温度が第二の所定値である６０℃まで低下すると表示手段７による表示を自動的に停止するようにしている。これにより、加熱手段２の温度が十分低下し保温容器１のコーヒー液の焦げ付きの心配が無くなった時点で不必要な表示手段７による表示を自動的に停止させることができるため使用者が表示手段７の表示停止に注意を払わなくてよくなる。
【００２７】
なお、本実施例では、再び空焚き判定を繰り返さないように、加熱停止の表示停止後も、加熱保温を再開しないようにしているが、使用者の、機器の操作により、加熱保温を再開できるようにしてもよい。
【００２８】
（実施の形態２）
図６は、本発明の第２の実施の形態におけるコーヒー沸かし器の検知温度のタイムチャートを示すものである。本実施の形態の構成は第１の実施の形態と同一構成であるので説明は省略する。
【００２９】
図６において、保温途中で保温容器１の空焚きが開始されると検知温度が上昇し、検知温度の最大値が連続して２回第一の所定値である１４５℃を超えると、加熱制御手段４は温調上限温度を１２５℃から５℃低下させて温調上限温度を１２０℃に変更して以降の保温を継続する。その結果、検知温度の最大値は再び第一の所定値である１４５℃未満となり、加熱手段２の温度上昇が抑えられることとなる。また、検知温度の最大値が１４５℃未満の状態が連続２０回続くと再び温調上限温度を１２０℃から１２５℃に戻して検知温度の最大値が１４５℃以上になるか確認を行うようにしている。
【００３０】
以上のように、本実施の形態においては、加熱制御手段４は温度検知手段３による検知温度の最大値が第一の所定値を超えると加熱手段２による温調温度を低下させるようにしたことにより、保温容器１を空焚き保温させた時の加熱手段２の温度上昇を検知して温調温度を低下することができるため、保温容器１の底に残ったコーヒー液が焦げ付くのを防止することができるものであり、更にコーヒー液を再加熱保温する場合には、温調温度を素早く元に戻すことができるためコーヒー液が適温保温に戻る時間が短縮できる。
【００３１】
また、本実施の形態では、電源電圧の変動により加熱手段２の加熱出力が増減することを考慮して電源電圧モニターを備えており、検知した電源電圧に応じて所定の温調上限温度を変更するようにしている。これは、加熱電力が増加すると同じ温調上限温度で制御しても加熱手段２の温度上昇速度が増加するため加熱手段２の最大温度がオーバーシュートにより更に増加することを防止するためである。図７に示すように、電源電圧１００Ｖ時の温調上限温度１２５℃に対して電圧が５Ｖ増加する毎に温調上限温度を５℃ずつ低下させるように制御する。なお、本実施の形態においては電源電圧が１１０Ｖ以上になれば温調下限温度も５℃ずつ低下させて加熱手段２の最大温度を抑えるようにしている。
【００３２】
以上のように、本実施の形態では、電源電圧に応じて温調温度を変更するため、電源電圧の増加によって加熱電力が増加しても加熱手段２の温度上昇をほぼ一定に抑えることができるため。精度よく安定した空焚き保温防止制御を行うことができる。
【産業上の利用可能性】
【００３３】
以上のように、本発明にかかるコーヒー沸かし器は、保温時の熱負荷変動における加熱手段の温度上昇防止を簡単な構成で行うことができるため、保温をする加熱調理器等の用途にも適用できる。
【図面の簡単な説明】
【００３４】
【図１】本発明の実施の形態１におけるコーヒー沸かし器の構成図
【図２】本発明の実施の形態１におけるコーヒー沸かし器の温度検知手段の検知温度のタイムチャート
【図３】本発明の実施の形態１におけるコーヒー沸かし器の温度検知手段の検知温度のタイムチャート
【図４】本発明の実施の形態１におけるコーヒー沸かし器の温度検知手段の検知温度のタイムチャート
【図５】本発明の実施の形態１におけるコーヒー沸かし器の温度検知手段の検知温度のタイムチャート
【図６】本発明の実施の形態２におけるコーヒー沸かし器の温度検知手段の検知温度のタイムチャート
【図７】本発明の実施の形態２におけるコーヒー沸かし器の電源電圧値による温調上限値を示す図
【図８】従来のコーヒー沸かし器の構成図
【図９】従来のコーヒー沸かし器の温度検知手段の検知温度のタイムチャート
【符号の説明】
【００３５】
１  保温容器
２  加熱手段
３  温度検知手段
４  加熱制御手段
５  記憶手段
６  記憶設定手段
７  表示手段
【図１】
2006217997.tif 000003
【図２】
2006217997.tif 000004
【図３】
2006217997.tif 000005
【図４】
2006217997.tif 000006
【図５】
2006217997.tif 000007
【図６】
2006217997.tif 000008
【図７】
2006217997.tif 000009
【図８】
2006217997.tif 000010
【図９】
2006217997.tif 000011